(57)【要約】【課題】  基礎板と床板との間の空間に配設される通水管を床板から床上に立ち上がらせ、その先端を給水設備と連通する継手部材を接続した後、再びその空間に収納する際に、通水管を容易に収納できるようにする床下配管構造を提供する【解決手段】  建物の基礎板１８とその上部に設けられた床板１３との間に空間部１９が形成され、この空間部１９には水，湯等の流体が通過する通水管１７，１７ａが配設され、通水管１７，１７ａは床板１３に穿設された貫通孔１４を挿通し、床板１３の上部に設けられた給水設備３に連通する継手部材１６に接続されるようにした床下配管構造において、前記空間部１９には通水管１７，１７ａを支持する第１固定具２１が設けられ、第１固定具２１と貫通孔１４との間で第１固定具２１より高い位置には、前記通水管１７，１７ａを支持する第２固定具２２が設けられた。【選択図】  図１
2006194041.tif 000002
【特許請求の範囲】
【請求項１】
建物の基礎板とその上部に設けられた床板との間に空間部が形成され、この空間部には水，湯等の流体が通過する通水管が配設され、通水管は床板に穿設された貫通孔を挿通し、床板の上部に設けられた給水設備に連通する継手部材に接続されるようにした床下配管構造において、前記空間部には通水管を支持する第１固定具が設けられ、第１固定具と貫通孔との間で第１固定具より高い位置には、前記通水管を支持する第２固定具が設けられたことを特徴とする床下配管構造。
【発明の詳細な説明】
【技術分野】
【０００１】
この発明は、建物の床下に配設された通水管を床上に立ち上げ、洗面台，流し台，トイレ等に設けられた給水設備に接続する床下配管構造に関するものである。
【背景技術】
【０００２】
従来、建物の基礎板と床板との間に形成される空間に水，湯などの流体を供給する通水管を配設し、この通水管を洗面台，流し台，トイレ等に設けられた給水設備に連通する継手部材に接続する床下配管構造として公知のものに特許文献１がある。この特許文献１について簡単に説明すると、基礎板と床板との間の空間に配設されている樹脂製の通水管は、先端を基礎板から垂直に折曲させて床板に固定された貫通金具を挿通させ、床上で止水栓等の継手部材を介して給水設備へ接続されるものである。
【０００３】
上記の床下配管構造では、通水管は基礎板と床板との間の空間で不安定な状態で収納されているため、給水設備を使用して流体の吐止水操作を行うと、通水管内の圧力が急激に変化することによって通水管は激しく振動し、異常音が発生するものであり、この異常音は居住者に不快感を与えるものであった。そこで特許文献２では、給水設備の使用時に発生する通水管の振動を抑えるため、基礎板に固定具を固定し、この固定具によって通水管を基礎板に固定している。このように通水管を基礎板と床板との間の空間で固定具によって固定すれば、給水設備の使用時に発生する通水管の振動を防止することができる。
【特許文献１】特開２００１−１４０２９９号公報の図５
【特許文献２】特開２００１−１５９１６５号公報
【発明の開示】
【発明が解決しようとする課題】
【０００４】
この種の床下配管構造は、通水管と給水設備とを接続するために、通水管を床板の貫通孔に挿通して床板から上方に立ち上がらせ、その先端に給水設備に連通する継手部材を接続し、通水管を基礎板と床板との間の空間に収納させた後に、継手部材と給水設備とを配管を介して接続する方法が一般的である。しかしながら特許文献２の場合、通水管に継手部材を接続した後、通水管を基礎板と床板との間の空間に収納させる際に通水管を床下側に押し込むと、通水管が基礎板に当たって大きく捩れてしまい、通水管を収納させるのに時間がかかり作業性の悪いものであった。
【０００５】
この発明は、このような従来の技術に存在する問題点に着目してなされたものであり、その目的は、基礎板と床板との間の空間に配設される通水管を床板から床上に立ち上がらせ、その先端を給水設備と連通する継手部材を接続した後、再びその空間に収納する際に、通水管を容易に収納できるようにする床下配管構造を提供することである。
【課題を解決するための手段】
【０００６】
上記目的を達成するため、請求項１記載の発明では、建物の基礎板とその上部に設けられた床板との間に空間部が形成され、この空間部には水，湯等の流体が通過する通水管が配設され、通水管は床板に穿設された貫通孔を挿通し、床板の上部に設けられた給水設備に連通する継手部材に接続されるようにした床下配管構造において、前記空間部には通水管を支持する第１固定具が設けられ、第１固定具と貫通孔との間で第１固定具より高い位置には、前記通水管を支持する第２固定具が設けられたものである。
【発明の効果】
【０００７】
本発明の請求項１記載の発明では、建物の基礎床と床板との間の空間部には通水管を支持する第１固定具が設けられ、第１固定具と床板の貫通孔との間で第１固定具より高い位置には通水管を支持する第２固定具を設けたので、基礎板と床板との間の空間部に配設される通水管を床板から床上に立ち上がらせ、この通水管に給水設備に連通する継手部材を接続した後に、基礎板と床板との間の空間部に向かって通水管を床下側に押し込むと、通水管は空間部内で略Ｕ字状に撓んで容易に収納することができ、作業性を向上させることができる。
【発明を実施するための最良の形態】
【０００８】
以下、本発明を具体化した実施形態を図に基づいて詳細に説明する。
【実施例１】
【０００９】
本発明の床下配管構造は、例えば洗面台，流し台，浴室，洗濯機，トイレ等に適用されるものであり、本実施例では洗面台に適用した場合を示す。図１に示すように洗面台１はその背面が壁２に沿って設置され、給水設備としての水栓３と、この水栓３が取り付けられる天板７と、この天板７が載置されるキャビネット９と、天板７に固定された洗面ボウル１０とが設けられ、この洗面ボウル１０の底部には排水口１１が設けられ、キャビネット９の内部に配置されている排水管１２により、洗面ボウル１０に溜まる湯水は外部へ排出される。
【００１０】
前記水栓３は、下部に延長した雄ねじ部４を天板７に穿設された取付孔８に上部から挿通して、天板７下部のキャビネット９内部から固定ナット５を雄ねじ部４に螺着することで天板７に固定されている。また雄ねじ部４の下部には、水栓３に対し水，湯を供給するための水用及び湯用の各供給管６，６ａが接続されている。この供給管６，６ａは床板１３に穿設された貫通孔１４に向けて略垂直方向に延設され、その下端には供給管６，６ａを通過する流体の流路を開閉するための止水栓１５が接続されており、この止水栓１５の他端には継手部材１６を介して通水管１７，１７ａが接続されるものである。
【００１１】
洗面台１は床板１３の上部に配置されており、床板１３と基礎板１８との間に空間部１９が形成され、この空間部１９に前記通水管１７，１７ａが収納される。水用及び湯用の各通水管１７，１７ａは、水または湯を図示しないヘッダーから水栓３へ供給するためのものであり、容易に屈曲できる合成樹脂製の架橋ポリエチレン管、架橋ポリプロピレン管等で形成されている。通水管１７，１７ａはその下流側をキャビネット９内部に向けて垂直方向に折り曲げ、床板１３の貫通孔１４に固定された貫通金具２０を挿通させて前記継手部材１６に接続するものである。なお、この継手部材１６は貫通金具２０の内部に収容されている。
【００１２】
前記基礎板１８と床板１３との間の空間部１９には、通水管１７，１７ａを固定するための固定具２１，２２が設けられている。この固定具２１，２２は水栓３の使用時に通水管１７，１７ａを水，湯が通過したり、通水管１７，１７ａ内の水，湯の流れが急に止まった場合に圧力が急増することで発生するウォーターハンマー現象により、通水管１７，１７ａが激しく振動するのを防止するためのものであり、床板１３の貫通孔１４と一定の間隔を設けて基礎板１８に第１固定具２１を装着し、第２固定具２２は第１固定具２１と貫通孔１４との間で床板１３に装着している。このように第２固定具２２を第１固定具２１と貫通孔１４との間で第１固定具２１より高い位置に設けることで、通水管１７，１７ａは第２固定具２２と貫通孔１４との間で略Ｕ字状に撓ませた状態で収納することができる。
【００１３】
上記構成において、床板１３と基礎床１８との間の空間部１９に収納されている通水管１７，１７ａを、洗面台１に取り付けられた水栓３に連通している継手部材１６に接続するには、通水管１７，１７ａの先端を床板１３の下部の空間部１９から床板１３の貫通孔１４に固定された貫通金具２０に挿通させ、キャビネット９内部に向けて垂直方向に立ち上げる。次にキャビネット９の内部で通水管１７，１７ａの先端を継手部材１６に接続した後、通水管１７，１７ａを床下側に押し込んで空間部１９に収納する。このとき、通水管１７，１７ａは空間部１９内で略Ｕ字状に撓んで容易に収納することができ、作業性を向上させることができる。なお、図１では通水管１７，１７ａの最下部が基礎板１８に当たらないようにしているが、通水管１７，１７ａは略Ｕ字状に撓ませることができれば基礎床１８に当たってもよい。
【００１４】
本実施例では第１固定具を基礎床に、第２固定具を床板に装着しているが、両固定具は床板と基礎床との間の空間部に設けられれば、基礎床または床板のどちらに装着してもよい。
また、第１固定具と貫通孔との間には第２固定具を複数個設けてもよい。
さらに、通水管は床板に穿設された貫通孔を挿通させ継手部材に接続されているが、貫通金具の下部に継手部材を設け、この継手部材に通水管を接続する構成としてもよい。
【図面の簡単な説明】
【００１５】
【図１】本発明による床下配管構造の説明図である。
【図２】通水管を継手部材に接続する状態の説明図である。
【符号の説明】
【００１６】
１３        ：  床板
１４        ：  貫通孔
１６        ：  継手部材
１７，１７ａ：  通水管
１８        ：  基礎板
１９        ：  空間部
２１        ：  第１固定具
２２        ：  第２固定具
【図１】
2006194041.tif 000003
【図２】
2006194041.tif 000004